(57)【要約】      （修正有）【課題】マグネティックピックアップによって弦楽器本来の生音に近い音を取り出すことができるようにしながら、その集音力を効果的に向上する。【解決手段】共鳴体１ａに貼着された強磁性材製の貼着体４と、共鳴胴１の内部における貼着体４の貼着位置の直下となる位置に、共鳴体１ａとの間に隙間を開け、且つ、貼着体４側に磁極の一方を向けて配されるマグネティックピックアップ３と、側面をマグネティックピックアップ３の側面に磁気的に吸着させた状態で共鳴胴１の内部においてマグネティックピックアップ３に並設される磁石と、マグネティックピックアップ３及び磁石を納める強磁性材製の収容体６とを備えてなる。【選択図】図２
2014191043.tif 000002
【特許請求の範囲】
【請求項１】
共鳴胴を構成する板状又は膜状の共鳴体に貼着された強磁性材製の箔体又は板体よりなる貼着体と、
共鳴胴の内部における前記貼着体の貼着位置の直下となる位置に、前記共鳴体との間に隙間を開け、且つ、前記貼着体側に磁極の一方を向けて配されるマグネティックピックアップと、
側面を前記マグネティックピックアップの側面に磁気的に吸着させた状態で前記共鳴胴の内部において前記マグネティックピックアップに並設される磁石と、
前記マグネティックピックアップ及び磁石を納める強磁性材製の収容体とを備えてなることを特徴とする弦楽器。
【請求項２】
貼着体を、共鳴体の外面に貼着される内側貼着体と共鳴体の内面に貼着される内側貼着体とから構成させていることを特徴とする請求項１に記載の弦楽器。
【発明の詳細な説明】
【技術分野】
【０００１】
この発明は弦楽器の改良に関する。
【背景技術】
【０００２】
弦楽器を構成する共鳴胴の内部に備えられたマグネティックピックアップとこの共鳴胴の表側に位置される板状又は膜状の共鳴体との間に、この共鳴体に接しないようにして強磁性体から構成された金属箔を配させてなる弦楽器として、特許文献１に示されるものがある。
【０００３】
マグネティックピックアップは、コイルと永久磁石を組み合わせてなり、この永久磁石の磁界の変化を電気信号として検出する。特許文献１のようにした場合、共鳴体の振動により共鳴胴内に配された金属箔が振動すると前記磁界に変化が生じるため、この振動を電気信号として検出・出力することが可能となる。この特許文献１のものは、前記マグネティックピックアップによって、弦楽器本来の生音に近い音を取り出すことができる反面、共鳴体と金属箔との間、および、金属箔とマグネティックピックアップの間にそれぞれ、隙間を設ける構造のため、集音力が弱くなり易かった。
【先行技術文献】
【特許文献】
【０００４】
【特許文献１】特開２０１０−１９１２６３号公報
【発明の概要】
【発明が解決しようとする課題】
【０００５】
この発明が解決しようとする主たる問題点は、共鳴胴の内部にマグネティックピックアップを配して共鳴胴を構成する共鳴体の振動をこのマグネティックピックアップによって出力できるようにした弦楽器において、かかるマグネティックピックアップによって弦楽器本来の生音に近い音を取り出すことができるようにしながら、その集音力を効果的に向上できるようにする点にある。
【課題を解決するための手段】
【０００６】
前記課題を達成するために、この発明にあっては、弦楽器を、共鳴胴を構成する板状又は膜状の共鳴体に貼着された強磁性材製の箔体又は板体よりなる貼着体と、
共鳴胴の内部における前記貼着体の貼着位置の直下となる位置に、前記共鳴体との間に隙間を開け、且つ、前記貼着体側に磁極の一方を向けて配されるマグネティックピックアップと、
側面を前記マグネティックピックアップの側面に磁気的に吸着させた状態で前記共鳴胴の内部において前記マグネティックピックアップに並設される磁石と、
前記マグネティックピックアップ及び磁石を納める強磁性材製の収容体とを備えてなるものとした。
【０００７】
前記貼着体を、共鳴体の外面に貼着される内側貼着体と共鳴体の内面に貼着される内側貼着体とから構成させるようにすることが、この発明の好ましい態様の一つである。
【発明の効果】
【０００８】
この発明によれば、共鳴胴の内部にマグネティックピックアップを配して共鳴胴を構成する共鳴体の振動をこのマグネティックピックアップによって出力できるようにした弦楽器において、かかるマグネティックピックアップによって弦楽器本来の生音に近い音を取り出すことができるようにしながら、その集音力を効果的に向上することができる。
【図面の簡単な説明】
【０００９】
【図１】図１はこの発明を適用して構成された三味線の共鳴胴の正面構成図である。
【図２】図２は図１におけるＡ−Ａ線位置での断面構成図である。
【図３】図３は図２の要部拡大構成図である。
【図４】図４は前記三味線を構成するマグネティックピックアップと磁石とを分離して表した斜視構成図である。
【図５】図５は前記三味線を構成するマグネティックピックアップと磁石とをこれらの収容体を一部破断して表した斜視構成図である。
【図６】図６はこの発明を適用して構成されたアコースティックギターの共鳴胴の正面構成図である。
【図７】図７は図１〜図３に示される三味線の構成の一部を変更した例を示した断面構成図である。
【発明を実施するための形態】
【００１０】
以下、図１〜図７に基づいて、この発明を適用して構成された弦楽器Ｓの典型例について説明する。図１はこの発明を三味線に適用した例を、図６はこの発明をギターに適用した例を示している。
【００１１】
この実施の形態にかかる弦楽器Ｓは、共鳴胴１と弦２を備えており、この弦２をはじいいたり、こすったりすることで音を出すようになっている。もっともこの発明は、各種の弦楽器Ｓ、具体的には、アコースティックギター、クラシックギター、バイオリン、マンドリン、チェロ、ウクレレ、ビオラ、コントラバス、大正琴、三味線、蛇味線、びわなどに適用することができるものである。
【００１２】
そして、この実施の形態にかかる弦楽器Ｓにあっては、共鳴胴１の内部にマグネティックピックアップ３を備えており、共鳴体２に伝えられる弦２の振動を、マグネティックピックアップ３を介して電気信号として検出してこれを出力できるようになっている。
【００１３】
かかる弦楽器Ｓは、貼着体４と、マグネティックピックアップ３と、磁石５と、収容体６とを備えている。
【００１４】
前記貼着体４は、共鳴胴１の表側に位置される板状又は膜状の共鳴体１ａに貼着された強磁性材製の箔体又は板体よりなる。典型的には、かかる貼着体４は、鉄製の箔体又は板体から構成される。図示の例では、かかる貼着体４は、長方形状をなし、その一面を共鳴体１ａに接着することにより、かかる共鳴体１ａに貼着されている。
【００１５】
前記マグネティックピックアップ３は、前記共鳴胴１の内部における前記貼着体４の貼着位置の直下となる位置に、前記共鳴体１ａとの間に隙間を開け、且つ、前記貼着体４側に磁極の一方を向けて配されている。かかるマグネティックピックアップ３は、棒状をなす公知のマグネティックピックアップ３を用いる。図示の例では、マグネティックピックアップ３は、細長い長方形状の四つの側面３ａ…３ａと、二つの端面３ｂ、３ｂを持った合成樹脂製の六面体の内部に図示しない内蔵磁石とコイルを内蔵してなる。図中符号３ｃは検出した電気信号の出力線である。そして、図示の例では、前記内蔵磁石は、前記六面体の四つの側面３ａ…３ａのうちの対向位置にある二つの側面３ａ’、３ａ’の一方に磁極の一方を向け、かつ、この二つの側面３ａ’、３ａ’の他方に磁極の他方を向けるように前記六面体内に内蔵されている。そして、この実施の形態にあっては、後述する支持部材７によって、共鳴胴１の内部１ｂにおいて、前記六面体の対向位置にある二つの側面３ａ’、３ａ’の一方を前記貼着体４側に向けるようにして、マグネティックピックアップ３が支持されている。
【００１６】
前記磁石５は、側面５ａ”を前記マグネティックピックアップ３の側面３ａ”に磁気的に吸着させた状態で前記共鳴胴１の内部１ｂにおいて前記マグネティックピックアップ３に並設されている。かかる磁石５としては、ネオジウム磁石が好適である。図示の例では、かかる磁石５も、細長い長方形状の四つの側面５ａ…５ａと、二つの端面５ｂ、５ｂを持った六面体状を呈している。また、かかる磁石５は前記四つの側面５ａ…５ａのうちの対向位置にある二つの側面５ａ’、５ａ’の一方に磁極の一方を位置させ、かつ、この二つの側面５ａ’、５ａ’の他方に磁極の他方を位置させるように構成されている。そして、図示の例では、マグネティックピックアップ３を構成する六面体の四つの側面３ａ…３ａのうち、これを構成する前記内蔵磁石の磁極が向けられていない二つの側面３ａ”、３ａ”の一方と、前記磁石５の磁極が位置されていない二つの側面５ａ”、５ａ”の一方とを、磁気的に吸着させた状態で、前記マグネティックピックアップ３の隣に前記磁石５を配設させるようにしている。例えば、マグネティックピックアップ３における貼着体４に向けられた側面３ａ’側にこれを構成する前記内蔵磁石のＮ極が位置される場合には、前記磁石５における貼着体４に向けられた側面５ａ’にこの磁石５のＳ極が位置されるようにして、マグネティックピックアップ３の隣に前記磁石５を配設させる。（図４）典型的には、マグネティックピックアップ３に前記のように並設される磁石５はこのマグネティックピックアップ３と接着される。
【００１７】
前記収容体６は、マグネティックピックアップ３及び磁石５を納めるものであって、鉄などの強磁性材から構成される。図示の例では、マグネティックピックアップ３及びこれに吸着された磁石５を鉄箔によって隙間なく包んでいる。すなわち、図示の例では、かかる鉄箔が前記収容体６として機能するようになっている。かかる収容体６は、強磁性材から構成され、内部に前記マグネティックピックアップ３及び磁石５を納めるケース状のものから構成することも可能である。
【００１８】
前記マグネティックピックアップ３を貼着体４に密着させてしまうとマグネティックピックアップ３によって取り出される音は弦楽器Ｓ本来の生音に比べて延びた音となる。これに対し、この実施の形態にかかる弦楽器Ｓにあっては、前記マグネティックピックアップ３は、共鳴胴１の内部における前記貼着体４の貼着位置の直下となる位置に、前記共鳴体１ａとの間に隙間を開けて配されることから、かかるマグネティックピックアップ３によって弦楽器Ｓ本来の生音に近い音を取り出すことができる。すなわち、かかるマグネティックピックアップ３を介して電気的に出力される音を、その弦楽器Ｓから自然に生じる音、いわゆる生音（ピックアップを経ないで弦楽器Ｓの共鳴胴１から空気振動によって自然に伝わる音）にできる限り近づけることができる。つまり、アコースティックギターであればアコスティックギター本来の音を、三味線であれば三味線本来の音を、マグネティックピックアップ３を介して電気的に出力させることができる。また、この実施の形態にかかる弦楽器Ｓにあっては、前記のように並設される磁石５及びこの磁石５共々マグネティックピックアップ３を納める収容体６の機能により、貼着体４の直下となる位置に単純にマグネティックピックアップ３を配した場合に比べ、集音力が著しく向上することが認められた。
【００１９】
図示の例では、前記磁石５が並設された状態で収容体６に収容されたマグネティックピックアップ３は、共鳴胴１の内部においてその側部に取り付けられた支持部材７によって、前記のように共鳴胴１内に配されている。
【００２０】
図示の例では、支持部材７は、前記共鳴胴１の表側（弦の張られている側）に位置される共鳴体１ａの内面に向き合う面部７ａを備えており、この面部７ａに前記磁石５が並設された状態で収容体６に収容されたマグネティックピックアップ３を固定させた状態でブラケットを介して共鳴胴１の側部に固定されるようになっている。
【００２１】
三味線の適用例（図１）では、支持部材７は方形枠状の共鳴胴１における棹の取り付け側に対向する側において、共鳴胴１の前記側部に固定されている。支持部材７に支持されるマグネティックピックアップ３は、共鳴胴１を正面から見た場合に、貼着体４の略真後ろに位置されるようになっている。図示の例では、貼着体４はマグネティックピックアップ３の前記側面３ａよりも広い面積を持つようになっている。典型的には、三味線の場合、共鳴体１ａとしての皮の厚さは１ｍｍ程度であり、この皮の内面に貼着体４を固定すると共に、この貼着体４とマグネティックピックアップ３との間に１ｍｍ〜５ｍｍの範囲の間隔が形成されるように前記支持部材７によってかかるマグネティックピックアップ３を支持するようにする。
【００２２】
図６は、アコースティックギターの適用例を示している。この適用例では前記磁石５が並設された状態で収容体６に収容されたマグネティックピックアップ３は、共鳴胴１の左右の側部間に亘るようにこの共鳴胴１内に配された支持部材８によって、共鳴胴１の表側、つまり弦の張り込み側に位置される共鳴体１ａとしての表甲（表板）の内面下に配されている。
【００２３】
図７は、前記貼着体４を、共鳴体１ａの内面に貼着される内側貼着体４’と共鳴体１ａの外面に貼着される外側貼着体４”とから構成させた例を示している。このようにした場合、マグネティックピックアップ３によって取り出される音が弦楽器Ｓ本来の生音により近い音となることが認められた。
【符号の説明】
【００２４】
１  共鳴胴
１ａ  共鳴体
３  マグネティックピックアップ
３ａ”
４  貼着体
５  磁石
５ａ”  側面
６  収容体
【図１】
2014191043.tif 000003
【図２】
2014191043.tif 000004
【図３】
2014191043.tif 000005
【図４】
2014191043.tif 000006
【図５】
2014191043.tif 000007
【図６】
2014191043.tif 000008
【図７】
2014191043.tif 000009